(57)【要約】【課題】美容作用を有する青汁用の飲食用組成物を提供すること。【解決手段】  大麦の茎及び／又は葉を用いた青汁用の飲食用組成物であって、前記大麦は以下の条件（A）を満たし、更に、条件（B）〜（D）から選ばれる１以上を満たす、青汁用の飲食用組成物。（A）遺伝子マーカーTe945による判定においてセリンプロテアーゼCxp1の高発現型遺伝子を有する。（B）遺伝子マーカーk09554-AvaIによる判定において縞萎縮病耐性遺伝子rym3を有する。（C）遺伝子マーカーom2による判定においてうどんこ病耐性遺伝子ml-oを有する。（D）遺伝子マーカーE31/M41による判定において縞萎縮病耐性遺伝子rym5を有する。【選択図】なし【特許請求の範囲】
【請求項１】
大麦の茎及び／又は葉を用いた青汁用の飲食用組成物であって、
前記大麦は以下の条件（A）を満たし、更に条件（B）〜（D）から選ばれる１以上を満たす、青汁用の飲食用組成物。
（A）遺伝子マーカーTe945による判定においてセリンプロテアーゼCxp1の高発現型遺伝子を有する。
（B）遺伝子マーカーk09554-AvaIによる判定において縞萎縮病耐性遺伝子rym3を有する。（C）遺伝子マーカーom2による判定においてうどんこ病耐性遺伝子ml-oを有する。
（D）遺伝子マーカーE31/M41による判定において縞萎縮病耐性遺伝子rym5を有する。
【請求項２】
前記大麦は（B）縞萎縮病耐性遺伝子rym3を有する、請求項１に記載の青汁用の飲食用組成物。
【発明の詳細な説明】
【技術分野】
【０００１】
本発明は、大麦の茎及び／又は葉を用いた、青汁用の飲食用組成物に関する。
【背景技術】
【０００２】
大麦は中央アジア原産とされ、イネ科に属する一年生又は越年生草本である。大麦の茎及び／又は葉（以下「茎葉」という）は、ビタミン類、ミネラル類、食物繊維、アミノ酸、葉緑素、ＳＯＤ酵素等に富む健康食品の素材として知られ、青汁、ゼリー、クッキー、ジンジャードリンク、ヨーグルト、サプリメント等の飲食用組成物に用いられている。青汁は、植物の緑葉を含む、乾燥粉末や搾汁等の様々な加工物とした製品であり、簡易に野菜成分を摂取できる健康食品として利用されている（特許文献１）。
【先行技術文献】
【特許文献】
【０００３】
【特許文献１】特開2008-266147号公報
【発明の概要】
【発明が解決しようとする課題】
【０００４】
従来、大麦やその茎葉を美容に用いることは行われていた。しかしながら、従来よりも更に美容効果の高い大麦の茎葉が求められている。
【課題を解決するための手段】
【０００５】
そこで、本発明者は従来よりも高い美容効果を奏するための大麦の茎葉の構成を鋭意検討し、大麦の茎葉の機能性は大麦の遺伝子型により異なることを見出した。更に検討を進めたところ、大麦が遺伝子マーカーにより判定される特定の遺伝子型を有する場合に、コラゲナーゼ阻害活性に優れ、美容効果を高めることができることを見出した。更に本発明者は特定の遺伝子型を有する大麦の茎葉はα−グルコシダーゼ阻害活性が高く、ダイエット効果に優れていることも見出した。
【０００６】
本発明は上記の知見に基づくものであり、大麦の茎及び／又は葉を用いた青汁用の飲食用組成物であって、
前記大麦は以下の条件（A）並びに、条件（B）〜（D）から選ばれる１以上を有する、青汁用の飲食用組成物。
（A）遺伝子マーカーTe945による判定においてセリンプロテアーゼCxp1の高発現型遺伝子を有する。
（B）遺伝子マーカーk09554-AvaIによる判定において縞萎縮病耐性遺伝子rym3を有する。
（C）遺伝子マーカーom2による判定においてうどんこ病耐性遺伝子ml-oを有する。
（D）遺伝子マーカーE31/M41による判定において縞萎縮病耐性遺伝子rym5を有する。
【発明の効果】
【０００７】
本発明によれば、コラゲナーゼ阻害活性に優れているため高い美容作用を有する青汁用の飲食用組成物を提供することができる。また、本発明の青汁用の飲食用組成物は、α−グルコシダーゼ阻害活性も高く、ダイエット効果にも優れている。
【図面の簡単な説明】
【０００８】
【図１】図１は大麦におけるCxp1高発現型遺伝子の塩基配列を示す。
【図２】図２は、Cxp1遺伝子のタイプ（低発現型或いは高発現型）判定用プライマーの塩基配列を示す。
【図３】図３は、大麦における、rym3遺伝子判定用CAPSマーカーであるk09554-AvaIを含む領域の塩基配列を示す。
【図４】図４は、rym3遺伝子の判定用プライマーの塩基配列を示す。
【図５】図５は、大麦におけるml-o遺伝子の上流領域におけるom2マーカーを含む領域の塩基配列を示す。
【図６】図６は、ml-o遺伝子の判定用プライマーを示す。
【図７】図７は、大麦における、rym5遺伝子座のeIF4E遺伝子の塩基配列を示す。
【図８】図８は、rym5遺伝子の判定用プライマーの塩基配列を示す。
【図９】図９は、実施例及び比較例についてのコラゲナーゼ阻害率に係る評価結果を示す。
【図１０】図１０は、実施例及び比較例についてのα−グルコシダーゼ阻害率に係る評価結果を示す。
【発明を実施するための形態】
【０００９】
以下、本発明の青汁用の飲食用組成物について、その好ましい実施形態に基づいて説明する。
【００１０】
本実施形態の青汁用の飲食用組成物は、用いる大麦の遺伝子の構成に特徴の一つを有する。
【００１１】
具体的には、本実施形態で用いる大麦は以下の条件（A）並びに、条件（B）〜（D）から選ばれる１以上を有することを特徴とする。
以下ではこのような大麦を、単に「特定の大麦」とも称する。
（A）遺伝子マーカーTe945による判定においてセリンプロテアーゼCxp1（以下単に「Cxp1」と記載することもある）の高発現型遺伝子を有する。
（B）遺伝子マーカーk09554-AvaIによる判定において縞萎縮病耐性遺伝子rym3（以下単に、「rym3」又は「遺伝子rym3」と記載することもある）を有する。
（C）遺伝子マーカーom2による判定においてうどんこ病耐性遺伝子ml-o（以下単に、「ml-o」又は「遺伝子ml-o」と記載することもある）を有する。
（D）遺伝子マーカーE31/M41による判定において縞萎縮病耐性遺伝子rym5（以下単に、「rym5」又は「遺伝子rym5」と記載することもある）を有する。
【００１２】
セリンプロテアーゼCxp1は麦芽タンパク質の分解に関与すると言われている。セリンプロテアーゼCxp1は、セリンカルボキシペプチダーゼCxp1と呼ばれることもある。本発明においては、単にCxp1とも言う。Cxp1の発現が高いと麦芽タンパク質が過剰に分解され、成長に悪影響を及ぼすことが知られている。
【００１３】
rym5及びrym3は、黄緑色の細長いかすり状の斑点、褐色のえそ斑などの原因となる縞萎縮病に関与すると言われている。rym5は縞萎縮病を引き起こす縞萎縮病Ｉ、II、IV、Ｖ型ウイルスに抵抗性を有するとされ、rym3は縞萎縮病Ｉ型〜III型ウイルスに抵抗性を有するとされる。縞萎縮病になると、分けつが減り、草丈が低くなり、症状の激しいものは枯死するなど、大麦の品質や収量に深刻な被害にも繋がることが知られている。
【００１４】
ml-oはMlo座のうどんこ病抵抗性遺伝子である。うどんこ病は、カビの一種うどんこ病菌によって起こされ、感染すると白色粉状の病斑が生じ、症状が進むと葉一面に広がるため、青汁原料としての価値を失ってしまう。うどんこ病の抵拭性遺伝子座としてはMla座，Mlo座，MJg座，MJk座等複数が知られている。
【００１５】
以上の通り、条件（A）〜（D）に記載の大麦の遺伝子は青汁用の飲食用組成物の美容作用及びダイエット作用とは何ら関係の知られていないものである。
【００１６】
本実施形態に用いる大麦は、（A）セリンプロテアーゼCxp1の高発現型遺伝子に加えて（B）縞萎縮病耐性遺伝子rym3を有することが、美容効果及びダイエット効果をより一層効果的に奏することができるため好ましい。また大麦は、（C）うどんこ病耐性遺伝子ml-o及び（D）縞萎縮病耐性遺伝子rym5の少なくとも一つを有することが美容効果を高めやすいため好ましく、（C）うどんこ病耐性遺伝子ml-o及び（D）縞萎縮病耐性遺伝子rym5の両方を有することが更に一層好ましい。もっとも好ましいのは、（Ａ）〜（Ｄ）の全ての要件を満たすことである。
【００１７】
以下、各遺伝子の有無の確認方法について、詳細に説明する。
＜セリンプロテアーゼCxp1の高発現型遺伝子＞
本実施形態において、大麦が（A）の条件を満たすか否かはTe945と呼ばれるCAPS（Cleaved Amplified Polymorphic Sequences）マーカーに基づいて判定する。
Te945は、セリンプロテアーゼCxp1遺伝子における一塩基多型（Single Nucleotide Polymorphism（SNP））を利用した遺伝子マーカーであり、セリンプロテアーゼCxp1のｍRNAの発現量の多寡に関わるeQTLマーカーとして報告されている（Funct. Integr.Genomics,(2006)6:p25-35）。この一塩基多型（SNP）の位置を、図１に示すセリンプロテアーゼCxp1遺伝子配列において二重下線部で示す。図１の配列は、遺伝子バンクDNA DataBank of Japan （DDBJ）においてアクセッションNo.CAJV010037927として開示されている配列の一部である。上記文献（Funct. Integr.Genomics, (2006)6:p25-35）には、大麦の遺伝子は、図１の二重下線部及びその周辺配列が図１のように「atgacattcttg」となっているタイプIIと、「atgacatccttg」となっているタイプIとに分かれていること、CxpIの発現レベルはタイプI＞タイプIIであることが示されている。本実施形態においては、このSNP位置をはさむプライマーとして図２に示すプライマー（Fプライマー：配列番号２、Rプライマー：配列番号３）を用い、このプライマーで挟まれた領域をpolymerasechain reaction （PCR）で増幅し、「catcc」の配列を特異的に切断する制限酵素であるBseGIで処理した後、酵素処理後のDNA断片を電気泳動法に供し、DNA断片の塩基長を確認することによりセリンプロテアーゼCxp1高発現型遺伝子（タイプI）を有するか否かを確認する。図１の配列において、図２のプライマーに対応する位置を一重下線で示す。図１に示す配列において図２のプライマーを用いたPCRにより増幅される断片は３８２ｂpであり、低発現型の場合、上記の制限酵素処理後もこの塩基長の断片が観察される。一方、高発現型（catcc）配列を有する場合は、上記制限酵素で切断されることにより、より塩基長の小さなバンド（１７８bp）が検出されるようになる。より明確な判定のため前記の塩基長の小さなバンドが検出される場合は、２０２bpの位置に更に別のDNA断片（バンド）が観察されることが好ましい。
【００１８】
上述したように、本実施形態において、Cxp1高発現型遺伝子を有するという（A）の条件の判定には、DNAシークエンス解析によりCxp1遺伝子の塩基配列全体を解析することを要しない。しかしながら、このような解析を行った場合に大麦は、Cxp1遺伝子の塩基配列として、アクセッションNo. CAJV010037927としてDDBJに開示された遺伝子配列における２１７６番から２１８７番までの配列を有していることが好ましい。
【００１９】
＜縞萎縮病耐性遺伝子rym3＞
本実施形態において、大麦が（B）の条件に満たすか否かはrym3と連鎖するCAPSマーカーであるk09554-AvaIに基づいて判定される。具体的には、図４に示すプライマーにより増幅した増幅産物を、制限酵素AvaIで処理した場合、この酵素処理によりDNAが切断されることにより縞萎縮病耐性遺伝子rym3を有すると判定する。図３に、このプライマーにより増幅される遺伝子配列を示す。図３の配列において図４のプライマーを用いて増幅したバンド長は３６５bpであり、上記制限酵素で切断した場合には２０５bp及び１５６bpの２つのDNA断片に切断される。図３には、図４に示すプライマーに対応する部分を下線で示している。更に具体的には、大麦DNAを鋳型として図８に示すプライマーでPCRを行い、得られた増幅産物を制限酵素AvaIで処理し、処理物を電気泳動に供したときに２０５bpに相当する長さのフラグメント及び、１５６bpに相当する長さのフラグメントが確認された場合に、遺伝子rym3を有するものとする。
【００２０】
上述したように、本実施形態において、遺伝子rym3を有することの判定に、DNAシークエンス解析により遺伝子rym3塩基配列全体を解析することを要しない。しかしながら、このような解析を行った場合に大麦は、遺伝子rym3の塩基配列として、アクセッションNo. AV929051.1としてDDBJに開示された遺伝子配列における１４８番から５１２番までの配列を有していることが好ましい。  
【００２１】
＜うどんこ病耐性遺伝子ml-o＞
本実施形態において、（C）の条件を満たすか否かは、ml-o遺伝子の５'上流域（−2.3kb)の挿入／欠失変異（In/del変異）を検出する遺伝子マーカーとして報告されているom2を用いて判定する。本実施形態において、ml-o遺伝子を有するとは、om2により検出される挿入変異を有することを意味する。この挿入変異がなされた大麦遺伝子配列の例を図５に示す。図５に示す遺伝子配列はDDBJにおいてアクセッションNo.Y14573.1である遺伝子の一部である。図５において、二重下線部が挿入された配列である。また遺伝子マーカーom2による挿入／欠失変異の判定に用いられるプライマーとしてGenome.Vol.49,2006,p864-872において提案されているプライマーを図６に示し、更に、このプライマーに対応する配列を図５に一重下線で示す。図５に示す例において、挿入変異を有する遺伝子を図６のプライマーで増幅した場合のDNA断片の塩基長は約１０００bpであり、挿入変異を有しない場合は約７５０bpである。このDNA断片の塩基長の違いによりml-oの有無を判定できる。具体的には、大麦のDNAを鋳型とし、図６に示すプライマーによるPCRにより増幅した増幅産物を電気泳動に供することで増幅産物の塩基長を確認できる。前記のプライマーによりPCRで増幅して得られた増幅産物を電気泳動に供したときに約１０００bpのフラグメントが検出された場合に、遺伝子ml-oを有するものとする。
【００２２】
上述したように、本実施形態において、遺伝子ml-oを有することの判定に、DNAシークエンス解析により遺伝子ml-oの塩基配列全体を解析することを要しない。しかしながら、このような解析を行った場合に大麦は、遺伝子ml-oの塩基配列として、アクセッションNo. Y14573.1としてDDBJに開示された遺伝子配列にDDBJに開示された遺伝子配列における８１０６番から９１９８番までの配列を有していることが好ましい。
【００２３】
＜縞萎縮病耐性遺伝子rym5＞
本実施形態では、大麦が（D）の条件を満たすか否かは、rym5と0.034cMで連鎖することが報告されているAFLP多型由来のSTSマーカーであるE31/M41に基づいて判定する。
rym5遺伝子座のeIF4E遺伝子の塩基配列の一部を図７に示す。図７に示す配列は、DDBJにアクセッションNo. AY661558として記載されている。本実施形態においては、E31/M41に由来するプライマーとして図８に示すプライマー（Theor. Appl. Genet.(2005)110:p283-293により報告されたもの）を用いたPCRを行い、PCR処理物を電気泳動に供し、DNA断片であるバンドの有無及びバンドの塩基長を確認することにより遺伝子rym5を有するか否かを確認する。図７には、図８に示すプライマーに対応する部分を下線で示している。図７に示す配列では、図８のプライマーを用いたPCRにより増幅される断片は４３６bpである。一方、遺伝子rym5を有しない大麦は通常当該PCRにより増幅産物は得られない。大麦DNAを鋳型とし前記図８に示すプライマーによりPCRで増幅して得られた増幅産物を電気泳動に供したときに４３６bpに相当する長さのフラグメントが検出された場合に、縞萎縮病耐性遺伝子rym5を有するものとする。
【００２４】
上述したように、本実施形態において、遺伝子rym5の判定に、DNAシークエンス解析により遺伝子rym5の塩基配列全体を解析することを要しない。しかしながら本実施形態で用いる大麦は、DNAシークエンス解析を行った場合に、遺伝子座rym5のeIF4E遺伝子の塩基配列として、アクセッションNo. AY661558としてDDBJに開示された遺伝子配列における４４１６９番から４４６０４番までの配列を有していることが好ましい。
【００２５】
上記の遺伝子マーカーにより（A）〜（D）に記載の遺伝子の有無を判定する場合、判定対象となる大麦DNAを抽出する大麦の部位としては、花、種子、果実、葉、茎、根が挙げられ、大麦の種子を用いることが好ましい。
【００２６】
具体的な試験方法としては、例えば以下の方法が挙げられる。
＜遺伝子有無判定試験＞
（1）大麦からDNAを抽出する。この抽出は適宜市販のキット等を用いて行うことができる。得られたDNA溶液は、DNA濃度が１ng/μL以上２０ng/μL以下となるように濃度調整してPCRに供することが好ましい。
（2）（1）で得られたDNA液を鋳型としたPCRを行う。PCRは例えば下記表１の条件にて行うことが好ましい。プライマーとしては上述した図２、４、６及び８に記載のものを用いることができる。
【００２７】
【表１】
2019180392.tif 000002
【００２８】
（3）（2）で得られたPCR産物について、Cxp1の高発現型遺伝子及びrym3の有無を判定する場合は、上記表１に記載の制限酵素による酵素処理を行う。制限酵素処理は、３０℃以上４０℃以下で３０分以上２４時間以下行うことが好ましい。なお、制限酵素として、BseGIはFastDigest BseGI（Thermo Fisher社）を用い、AvaIはAvaI 2,000units（New England Biolabs社）を用いた。
得られた処理物を電気泳動のサンプルとする。電気泳動は適宜公知の方法にて行うことができる。  
【００２９】
特定の大麦は、植物学上で六条大麦に分類されるものであっても二条大麦に分類されるものであってもよく、裸麦に分類されるものであってもよく、野生種、交雑種などのいずれであってもよい。
【００３０】
また本実施形態において、条件（A）〜（D）を満たすか否かは、実際の大麦の形質とかい離していてもよい。例えば上記遺伝子マーカーに基づき（A）Cxp1高発現型遺伝子を有すると判定された大麦は必ずしもセリンプロテアーゼCxp1が高発現型である形質を有していなくてもよい。同様に、（B）rym3又は（D）rym5を有すると上記遺伝子マーカーにより判定された大麦は必ずしも縞萎縮病耐性の形質を有していなくてもよい。上記遺伝子マーカーにより（C）ml-oを有すると判定された大麦は必ずしもうどんこ病耐性の形質を有していなくてもよい。また、上記のいずれかの遺伝子マーカーを用いた判定において、ある大麦が該マーカーに対応する条件（A）〜（D）のいずれかを満たすと判定された場合、当該判定方法とは異なる方法によれば異なる判定結果が生じたとしても、当該遺伝子を有するものとする。
【００３１】
上記特定の大麦の茎葉は、成熟期前、すなわち分けつ開始期から出穂開始前期に収穫されることが好ましい。具体的には、品種の違いによっても異なるが、一般に、背丈が１０ｃｍ以上、特に１０〜９０ｃｍ程度、とりわけ３０〜６０ｃｍ程度である大麦から、茎葉を収穫することが好ましいが、これらに限定されるものではない。大麦の茎葉は、収穫後、直ちに処理されることが好ましい。処理までに時間を要する場合、大麦の茎葉の変質を防ぐために低温貯蔵などの当業者が通常用いる貯蔵手段により貯蔵される。
【００３２】
本実施形態の青汁用の飲食用組成物では、前記の特定の大麦の茎葉として、該茎葉から得られる各種の加工物を用いることができる。そのような加工物としては、例えば、茎葉の粉砕物及びその乾燥粉末（粉砕末）、茎葉の細片化物及びその乾燥粉末（細片化末）、茎葉の搾汁及びその乾燥粉末（搾汁末）、茎葉のエキス及びその乾燥粉末（エキス末）等が挙げられる。
【００３３】
例えば、大麦の茎葉を粉砕化するには従来公知の方法を用いることができる。そのような方法としては、大麦の茎葉に対して、乾燥処理及び粉砕処理を組み合わせた方法を用いることができる。乾燥処理及び粉砕処理はいずれを先に行ってもよいが、乾燥処理を先に行うことが好ましい。粉砕化は、この方法に、更に必要に応じブランチング処理、殺菌処理などの処理から選ばれる１種又は２種以上の処理を組み合わせてもよい。また、粉砕処理を行う回数は１回でも、２回以上の処理を組合せてもよいが、粗粉砕処理を行った後に、より細かく粉砕する微粉砕処理を組合せることが好ましい。
【００３４】
ブランチング処理とは、茎葉の緑色を鮮やかに保つための処理であり、ブランチング処理の方法としては、熱水処理や蒸煮処理などが挙げられる。ブランチング処理は、８０〜１００℃、好ましくは９０〜１００℃の熱水または水蒸気中で、茎葉を６０〜１８０秒間、好ましくは９０〜１２０秒間処理することが好ましい。また、ブランチング処理として熱水処理を行う場合、熱水中に炭酸マグネシウムなどの炭酸塩や炭酸水素ナトリウムなどの炭酸水素塩を溶解させておくことで、茎葉の緑色をより鮮やかにすることができるため、好ましい。また、蒸煮処理としては、常圧または加圧下において、茎葉を水蒸気により蒸煮する処理と冷却する処理とを繰り返す間歇的蒸煮処理が好ましい。間歇的蒸煮処理において、水蒸気により蒸煮する処理は、好ましくは２０〜４０秒間、より好ましくは３０秒間行われる。蒸煮処理後の冷却処理は、直ちに行われることが好ましく、その方法は、特に制限しないが、冷水への浸漬、冷蔵、冷風による冷却、温風による気化冷却、温風と冷風を組み合わせた気化冷却などが用いられる。このうち温風と冷風を組み合わせた気化冷却が好ましい。このような冷却処理は、茎葉の品温が、好ましくは６０℃以下、より好ましくは５０℃以下、最も好ましくは４０℃以下となるように行われる。また、ビタミン、ミネラル、葉緑素などの栄養成分に富んだ茎葉の粉末を製造するためには、間歇的蒸煮処理を２〜５回繰り返すことが好ましい。
【００３５】
殺菌処理とは、通常、温度・圧力・電磁波・薬剤等を用いて物理的・化学的に微生物細胞を殺滅させる処理である。乾燥処理及び粉砕処理に追加してブランチング処理を行う場合、ブランチング処理は乾燥処理の前に行われることが好ましい。また乾燥処理及び粉砕処理に追加して殺菌処理を行う場合、殺菌処理は、乾燥処理の後か、粉砕処理の前又は後に行われることが好ましい。
【００３６】
乾燥処理としては、茎葉の水分含量が１０％以下、特に５％以下となるように乾燥する処理であることが好ましい。この乾燥処理は、例えば、熱風乾燥、高圧蒸気乾燥、電磁波乾燥、凍結乾燥などの当業者に公知の任意の方法により行われ得る。加熱による乾燥は、好ましくは４０℃〜１４０℃、より好ましくは８０〜１３０℃にて加温により茎葉が変色しない温度及び時間で行われうる。
【００３７】
粉砕処理としては、クラッシャー、ミル、ブレンダー、石臼などを用いて当業者が通常使用する任意の方法により粉砕する処理が挙げられる。粉砕された茎葉は必要に応じて篩にかけられ、例えば、３０〜２５０メッシュを通過するものを茎葉の粉末として用いることが好ましい。粒径が２５０メッシュ通過のもの以下とすることで、茎葉の粉末のさらなる加工時に取り扱いやすく、粒径が３０メッシュ通過以上のものとすることで、茎葉の粉末と他の素材との均一な混合が容易である。
【００３８】
具体的な粉砕末化の方法としては、例えば、大麦の茎葉を切断した後、ブランチング処理を行い、次いで水分含量が１０質量％以下、好ましくは５質量％以下となるように乾燥し、その後粉砕する方法が挙げられる（特開２００４−０００２１０号公報を参照）。また例えば、大麦の茎葉を切断した後、ブランチング処理を行い、次いで揉捻し、その後、乾燥し、粉砕する方法（特開２００２−０６５２０４号公報、特許第３４２８９５６号公報を参照）も挙げられる。また例えば、大麦の茎葉を乾燥し、粗粉砕した後、１１０℃以上で加熱し、更に微粉砕する方法（特開２００３−０３３１５１号公報、特許第３２７７１８１号公報を参照）も挙げられる。
【００３９】
大麦の茎葉を細片化する方法としては、スライス、破砕、細断等、当業者が植物体を細片化する際に通常使用する方法を用いることができる。細片化の一例として、スラリー化してもよい。スラリー化は、大麦の茎葉をミキサー、ジューサー、ブレンダー、マスコロイダーなどにかけ、大麦の茎葉をどろどろした粥状（液体と固体の懸濁液）にすることにより行う。このようにスラリー化することにより、茎葉は、細片の８０質量％以上が好ましくは平均径１ｍｍ以下、より好ましくは０.５ｍｍ以下、一層好ましくは０.１ｍｍ以下、最も好ましくは０．０５ｍｍ以下となるように細片化され、流動性を有するようになる。得られた細片化物は凍結乾燥や熱風乾燥などの処理を行い、乾燥粉末（細片化末）とすることもできる。
【００４０】
大麦の茎葉を搾汁する方法としては、大麦の茎葉又はその細片化物を圧搾するか、又は、大麦の茎葉の細片化物を遠心又はろ過する方法を挙げることができる。代表的な例としては、ミキサー、ジューサー等の機械的破砕手段によって搾汁し、必要に応じて、篩別、濾過等の手段によって粗固形分を除去することにより搾汁液を得る方法が挙げられる。具体的には、特開平０８−２４５４０８号公報、特開平０９−０４７２５２号公報、特開平５−７４７１号公報、特開平４−３４１１５３号公報などに記載の方法が挙げられ、これらの公知の方法を当業者が適宜選択して実施できる。得られた搾汁は、必要に応じて濃縮してもよいし、凍結乾燥や熱風乾燥、噴霧乾燥などの処理を行い、乾燥粉末（搾汁末）とすることもできる。搾汁末とする場合は、搾汁のみを乾燥しても良いし、必要に応じて賦形剤と共に乾燥することもできる。
【００４１】
大麦の茎葉のエキスを得る方法としては、大麦の茎葉又はその細片化物に、エタノール、水、含水エタノールなどの当業者が通常用いる抽出溶媒を加え、必要に応じて攪拌や加温して抽出する方法を挙げることができる。得られたエキスは、必要に応じて濃縮してもよいし、凍結乾燥や熱風乾燥、噴霧乾燥などの処理を行い、乾燥粉末（エキス末）とすることもできる。エキス末とする場合は、エキスのみを乾燥しても良いし、必要に応じて賦形剤と共に乾燥することもできる。
【００４２】
本発明においては、前記大麦の茎葉の加工物のうち、乾燥粉末（粉砕末、細片化末、搾汁末、エキス末）を用いることが好ましく、粉砕末又は搾汁末がより好ましく、特に、茎葉を乾燥及び粉砕することにより得られる粉砕末を用いることが、青汁用の飲食用組成物をより一層色が鮮やかで風味が良好なものとできる点や、食物繊維の豊富なものとできる点、美容効果が高い点等から好ましい。粉砕末は、搾汁工程を経ずに製造される。
【００４３】
本発明の青汁用の飲食用組成物は、大麦の茎葉のみを含有しても良いし、以下に述べるその他の成分を含有しても良い。本発明の青汁用の飲食用組成物の固形分中、大麦の茎葉の含有量は、乾燥質量で、０．１質量％以上が好ましく、０．５質量％以上がより好ましく、１．０質量％以上が更に好ましく、１０．０質量％以上が特に好ましく、最も好ましくは２０．０質量％以上である。また上限値としては、９９．９質量％以下が好ましく、９０．０質量％以下がより好ましく、８０．０質量％以下が特に好ましい。
【００４４】
更に、青汁用の飲食用組成物に含まれる大麦の茎葉中、上記特定の大麦の茎葉の割合は、１０．０質量％以上であることが好ましく、３０．０質量％以上であることがより好ましく、５０．０質量％以上であることが特に好ましく、７０．０質量％以上であることが最も好ましい。
【００４５】
本発明の飲食用組成物の摂取量としては特に制限はないが、本発明の効果をより顕著に発揮させる観点から、成人の１日当たり、本発明の大麦の茎及び／又は葉が、１０ｍｇ／日以上となるように摂取することが好ましく、５０ｍｇ／日以上となるように摂取することがより好ましく、１００ｍｇ／日以上となるように摂取することがさらに好ましい。
【００４６】
青汁用の飲食用組成物は、前記六条大麦の茎葉以外に、その他の成分を含んでいてもよい。前記のその他の成分としては、例えば、ビタミン類、タンパク質、オリゴ糖、ミネラル類、多糖類、乳製品、植物加工品、乳酸菌、などの微生物、糖類、甘味料、クエン酸、酸味料、着色料、増粘剤、光沢剤のほか、タルク、二酸化ケイ素、セルロース、ステアリン酸カルシウム等の製造用剤等を配合することができる。その他の成分としては、これら以外にも、種々の賦形剤、結合剤、滑沢剤、安定剤、希釈剤、増量剤、増粘剤、乳化剤、着色料、香料、食品添加物、調味料などを挙げることができる。その他の成分の含有量は、飲食品の形態等に応じて適宜選択することができる。本実施形態において、青汁用の飲食用組成物に含まれる大麦の茎葉の加工物以外の成分として、オリゴ糖、水溶性食物繊維、乳酸菌を含むことが、特に好ましい。
【００４７】
本実施形態の青汁用の飲食用組成物は、任意の形態とすることができる。青汁用の飲食用組成物の形態としては、例えば、飲食などの経口摂取に適した形態、具体的には、粉末状、粒状、顆粒状、錠状、棒状、板状、ブロック状、固形状、丸状、液状、飴状、ペースト状、クリーム状、ハードカプセルやソフトカプセルのようなカプセル状、カプレット状、タブレット状、ゲル状、ゼリー状、グミ状、ウエハース状、ビスケット状、クッキー状、ケーキ状、チュアブル状、シロップ状、スティック状等の各形態が挙げられる。
【００４８】
本実施形態の青汁用の飲食用組成物には、青汁や、青汁に果汁や野菜、乳製品等を添加してジュース、シェイク、スムージーにしたり、清涼飲料、炭酸飲料やそれらのもと等の形態としたものを挙げることができる。
【００４９】
青汁用の飲食用組成物は、粉末状（粉末、顆粒などの粉の形態）であって、水と混合した混合物を経口摂取する形態であると、腐敗を防ぎ長期保存に適するとともに、この飲食用組成物が水と混合した時に色が鮮やかであることから好ましい。また青汁用の飲食用組成物が固体の形態である場合、上述したように、これを水と混合した液状体となし、該液状体を飲用する等経口摂取することができるが、摂取する者の好み等に応じて、固体のまま経口摂取してもよい。また水だけでなく、牛乳、豆乳、果汁飲料、乳清飲料、清涼飲料、ヨーグルト、ホットケーキミックス等に添加して使用してもよい。また、栄養機能表示食品、特定保健用食品、機能性表示食品として用いても良いことは言うまでもない。
【００５０】
以上の通り、本実施形態の青汁用の飲食用組成物は上記の遺伝子マーカーによる判定において、上記の条件を満たす大麦の茎葉を用いていることによって、コラゲナーゼ阻害作用を有するものとなる。コラゲナーゼはコラーゲンを分解する酵素である。コラーゲンは、ヒアルロン酸やエラスチンなどと同様に、哺乳動物の結合組織に含まれ、皮膚の保水、潤滑性、および柔軟性などに寄与する成分である。コラーゲンは炎症や加齢に伴い、コラゲナーゼの活性が亢進し、コラーゲンの分解量が増加してしまう。その結果、コラーゲンの合成と分解とのバランスが崩れるため、炎症反応の亢進、あるいは老化による皮膚のシワ、関節痛が引き起こされるなどの問題が生じる。従って、コラゲナーゼの酵素の活性を阻害する成分は、コラーゲンの低減に伴う炎症、シワや関節痛などを防止・予防できると期待される。
更に、本実施形態の青汁用の飲食用組成物は、上記の条件を満たす大麦の茎葉を用いていることによって、優れたα−グルコシダーゼ阻害作用を有するものとなる。α−グルコシダーゼは、ブドウ糖、デンプンなどの消化酵素であり、この酵素を阻害することによって、糖質の吸収が抑制され、糖質の体外排出を促進し得る。この結果、体内への余分なエネルギーの摂取が抑制され、体内への脂肪の蓄積を抑制し、さらには、体内に蓄積した脂肪を低減し得るため、優れたダイエット作用を有する。本明細書において、ダイエット作用とは、ヒト等の哺乳類の身体に、肥満の予防、防止若しくは低減、痩身又は体重低減をもたらす作用を指す。また、本明細書でいうダイエット作用には、α−グルコシダーゼ阻害作用に起因し、肥満の予防、防止若しくは低減、痩身又は体重低減をもたらす作用である体脂肪低減、体脂肪蓄積抑制、内臓脂肪低減、内臓脂肪蓄積抑制、皮下脂肪低減、皮下脂肪蓄積抑制等の作用も含む。このため、本実施形態の青汁用の飲食用組成物は、優れたα−グルコシダーゼ阻害作用を有することで、糖の消化吸収抑制効果、血糖値上昇抑制効果、糖尿病および糖尿病合併予防効果、ダイエット効果が期待できる。
従って、本実施形態の青汁用の飲食用組成物は、コラーゲン分解酵素阻害用途、コラーゲン低減抑制用途、コラーゲン保持用途、関節痛、炎症などの低減用途や皮膚のシワ防止用途、皮膚の潤滑性や柔軟性、保水性の向上用途、美容用途、糖の消化吸収抑制用途、血糖値上昇抑制用途、糖尿病又は糖尿病合併症の予防用途、ダイエット用途から選ばれる１又は２以上の用途に使用することができる。
【００５１】
具体的に、本発明の飲食用組成物のこれらの用途は、医薬品（医薬部外品を含む）やいわゆる健康食品として用いられ、「肌のうるおいを保つ」、「肌をバリアする」、「肌を守る」、「しみが気になる方に」、「しわが気になる方に」、「ストレスに負けない肌に」、「美容にうれしい」、「肌にうれしい」、「膝や腰の悩みに」、「健やかな歩みに」、「軽やかな動きに」、「関節機能を整える」、「関節の動きをなめらかにする」、「関節機能を改善する」、「関節の動きの悩みを緩和する」、「関節の動きを助ける」、「関節の動きをサポートする」、「血糖値が気になる方へ」、「血糖値の上昇をおだやかにする」、「糖の吸収をおだやかにする」、「血糖値を抑える」、「体脂肪の気になる方へ」、「肥満気味な方へ」、「体重（ＢＭＩ）が気になる方へ」、「体重やお腹の脂肪（内臓脂肪と皮下脂肪）を減らす」、「ウエスト周囲長を減らす」、「理想の体型を手に入れたい方へ」、「スリムな体型を手に入れたい方へ」等を表示したものを例示することができる。
【実施例】
【００５２】
以下、実施例を示して本発明を更に具体的に説明するが、本発明の範囲は、これらの実施例に限定されるものではない。
【００５３】
＜実施例１〜３、比較例１〜３＞
複数品種の種子について、上記＜遺伝子有無判定試験＞を行った。つまり、上記表１に示す遺伝子マーカーを用いる上記の方法にてDNA抽出、PCR及び必要に応じた制限酵素処理並びに電気泳動を行った。具体的な条件・手順は以下の通りとした。
・DNA抽出：品種の異なる複数の大麦植物体それぞれから、複数の種子を採取した。一つの植物体に由来する複数の種子の一部についてDNA抽出した。DNA抽出は、Dneasy PlantMini Kit（QIAGEN）を用いた。抽出方法はキットに付属のプロトコル通りとした。
・PCR：上記で得られたDNAをDNA濃度が7.5ng/μLとなるようにNuclease Free Waterで希釈してPCRに用いた。PCRは上記濃度調整後のDNA液を鋳型として下記各試薬を下記表２の用量にて混合し、得られた液について上記表１の条件にて行った。なお表２中、Ex Taq及びそのバッファはタカラバイオ社の製品である。
【００５４】
【表２】
2019180392.tif 000003
【００５５】
・制限酵素処理：得られたPCR産物にNuclease Free Water２０μｌを加えて２倍希釈した。（A）Cxp1の高発現型遺伝子の有無及び(B)縞萎縮病耐性遺伝子rym3の有無を判定する場合は、上記表１の制限酵素を用い、下記表３に記載の配合でチューブ内で表３の各液を混合した後、密閉したチューブを37℃のウォーターバスに沈め、１時間インキュベートし、次いで氷上で冷却した。なお下記表３において、制限酵素Bufferとしては酵素に添付のバッファを用いた。得られた処理物を電気泳動のサンプルとした。その他の遺伝子を判定する場合は、制限酵素処理を行わずに上記のようにNuclease Free Water で2倍希釈したPCR産物をそのまま電気泳動のサンプルとした。
【００５６】
【表３】
2019180392.tif 000004
【００５７】
・電気泳動：フラスコ中に0.5xTBE （Tris Borate EDTA）Buffer及びアガロースをアガロースの濃度が1質量%又は2質量%となるように加え、分散させた。フラスコをオートクレーブにかけてアガロースを溶解後、軽く攪拌した。粗熱がとれたらGelGreen（BIOTIUM社）
を微量加えて再度攪拌した。専用の型を用いてアガロースゲル（以下、AGE）を形成した。泳動槽(Mupidαミニゲル泳動槽；アドバンス)に0.5xTBE Buffer、AGEを入れた。ゲルが浸るまで0.5xTBE Bufferを入れた。6x Loading Buffer（タカラバイオ社） 1μL、サンプル 5μLを混和した後、AGEの各ウェルへそれぞれアプライした。100Vにて、適時泳動を行った。
【００５８】
上記の方法にて以下の判定結果となった種子と同じ植物体から得られた種子を下記表４の対応により実施例及び比較例の大麦とした。下記の表４において○は該当遺伝子を有するという判定結果であったことを示し、×は該当遺伝子を有さない判定結果であったことを示す。
【００５９】
【表４】
2019180392.tif 000005
【００６０】
上記の判定が得られた各実施例及び比較例の大麦の種子を公知の方法にて播種、栽培し、成熟期前、すなわち分けつ開始期から出穂開始前期の段階で茎葉を採取し、下記方法にて粉砕末を得、これを粉末状の青汁用の飲食用組成物とした。
【００６１】
＜乾燥粉末の製造方法＞
収穫した大麦の茎葉を水洗いし、付着した泥などを除去し、次いで５ｃｍ程度の大きさに切断する前処理を行った。前処理した茎葉を、９０〜９５℃の熱湯で約１００秒間、１回のみブランチング処理し、その後、冷水で冷却した。続いて、得られた茎葉を、水分量が５質量％以下となるまで、乾燥機中で、７０〜８０℃の温風にて乾燥させた。乾燥した茎葉を、ミキサーを用いて約１ｍｍの大きさに粗粉砕処理し、次いでジェットミル粉砕機を用いて微粉砕処理することにより、大麦の茎葉の粉砕末を得た。
【００６２】
得られた実施例１〜３、比較例１〜３の青汁用の飲食用組成物について、以下の評価に供した。
【００６３】
＜評価１：美容作用＞
（１）粉末状の青汁用の飲食用組成物をオートクレーブした後、リン酸緩衝生理食塩水（PBS）にて４ｍｇ／ｍＬに調製し、最終濃度の４倍濃度のサンプル液を調製した。このサンプル液を96well black plateへ50μL/well添加した。但し、一部のwellではコントロールとして、サンプル液の代わりにPBS50μLを添加した。
（２）96well black plateに、更に酵素溶液（Test）または0.1質量%BSA含有D-PBS(-)（Blank）を100μL/wellで添加し、37℃で10分間インキュベートした。なおD-PBS(-)は和光純薬製のタブレット型PBS（型番T900）１錠を100mLの純水に溶解した溶液であり、これにアルブミン（ウシ血清由来コーンフラクションV、和光純薬製）を溶解して濃度0.1質量%としたものが0.1質量%BSA含有D-PBS(-)である。また酵素溶液はCollagenase B(Roche)が10mg/mL入ったD-PBS(-)溶液を0.1質量%BSA含有D-PBS(-)にて濃度10μg/mLに希釈したものである。
（３）インキュベート後の96well black plateに、蛍光基質溶液（MOCAc-Pro-Leu-Gly-Leu-A2pr(DNP)-Ala-NH2（ペプチド研究所）の1mM DMSO溶液を0.1質量%BSA含有D-PBS(-)で5μMに調製したもの）を50μL/wellで添加し、遮光して37℃、60分間インキュベートした。
（４）マイクロプレートリーダーを用いて、320nmで励起し、405nmにおける蛍光強度を測定した。
（５）測定した蛍光強度を用いて、下記式にてコラゲナーゼ阻害率を算出した。結果を図１０に示す。
コラゲナーゼ阻害率（％）＝[１− (Sampletest - Sampleblank)/(Controltest- Controlblank)]×１００
なお上記式で、Sampletestはサンプル液及び酵素溶液を添加したwellの蛍光強度、Sampleblankはサンプル液を添加し、酵素溶液未添加（0.1%BSA含有D-PBS(-)添加）であるwellの蛍光強度、Controltestはサンプル液未添加（PBSを添加）であり酵素溶液を添加したwellの蛍光強度、Controlblankはサンプル液及び酵素溶液が未添加であるwellの蛍光強度である。
【００６４】
図９より、特定の遺伝子マーカーにより特定の遺伝子型を有する本発明の青汁用の飲食用組成物がコラゲナーゼ阻害作用に優れ、美容に有効であることが判る。
【００６５】
＜評価２：ダイエット作用＞
実施例１〜３、比較例１及び２の青汁用の飲食用組成物のα−グルコシダーゼ阻害作用を以下の方法で評価した。
【００６６】
実験方法
実施例１〜３、比較例１及び２の青汁用の飲食用組成物を８０μＬ分取し、サンプル液とした。次いで、このサンプル液に４０μＬの０．０２Ｍの基質水溶液（基質：ｐ−ニトロフェニル−α−Ｄグルコピラノシド；和光純薬工業社）を添加して３７℃で５分間保持した。
【００６７】
その後、０．３μｇ／ｍＬのα−グルコシダーゼ（和光純薬工業社）を含有する２ｍｇ／ｍＬのＢＳＡ含有リン酸緩衝液（酵素溶液）を４０μＬ加えて、さらに３７℃で１５分間保持した。
【００６８】
次いで、停止液として０．２Ｍ炭酸ナトリウム水溶液  １６０μＬを添加し、得られた溶液を試験液として４４０ｎｍの吸光度を測定した（測定値Ａとする）。対照として、上記サンプル液の代わりに、精製水を用いたこと以外は上記と同様の手順で得た対照試験液の吸光度を測定した（測定値Ｂとする）。
【００６９】
さらに、試験液及び対照試験液の各ブランクとして、停止液を酵素溶液の前に加えること以外には上記と同様の手順で得た各溶液（ブランク）の吸光度を測定した（試験液のブランクの測定値を測定値Ｃ及び対照試験液のブランクの測定値を測定値Ｄとする）。
【００７０】
上記の測定値Ａ〜Ｄを用いて、以下の式からα−グルコシダーゼ阻害率（％）を求めた（ｎ＝３）：
α−グルコシダーゼ阻害率（％）＝（１−［Ａ−Ｃ］／［Ｂ−Ｄ］）×１００
結果を図１０に示す。図１０に示すとおり、実施例１〜３の青汁用の飲食用組成物は、比較例１及び２に比べて優れたα−グルコシダーゼ阻害作用を有することがわかった。従って、実施例１〜３の青汁用の飲食用組成物は優れたダイエット効果を有する。
【００７１】
［本発明の組成物の製造］
［製造例１］（インスタント飲料用顆粒の製造）
下記成分を混合してインスタント飲料用顆粒３ｇを製造した。得られたインスタント飲料用顆粒を、水１００ｍLに溶解して服用することで、優れた美容効果が得られる。
【００７２】
（A）及び（D）の条件を満たし、（B）及び（C）の条件を満たさない大麦茎葉の粉砕末                                                 ４０質量％
難消化性デキストリン                             ５質量％
エリスリトール                                   ５質量％
香料                                             ２質量％
デキストリン                                       残部
［製造例２］（インスタント飲料用顆粒の製造）
下記成分を混合してインスタント飲料用顆粒４ｇを製造した。得られたインスタント飲料用顆粒を、水１００ｍLに溶解して服用することで、優れた美容効果が得られる。
【００７３】
（A）、（C）及び（D）の条件を満たし、（B）の条件を満たさない大麦茎葉の搾汁末                                                   ６０質量％
ケール粉砕末                                   １０質量％
抹茶                                             ３質量％
トレハロース                                   ２０質量％
ビタミンB                                    ０．２質量％
ビタミンC                                    ０．２質量％
デキストリン                                       残部
【図１】
2019180392.tif 000006
【図２】
2019180392.tif 000007
【図３】
2019180392.tif 000008
【図４】
2019180392.tif 000009
【図５】
2019180392.tif 000010
【図６】
2019180392.tif 000011
【図７】
2019180392.tif 000012
【図８】
2019180392.tif 000013
【図９】
2019180392.tif 000014
【図１０】
2019180392.tif 000015
【配列表】
2019180392000001.app